(57)【要約】【課題】調理の邪魔にならず手軽に用途に応じた使用が可能で、調理の際に具材からでる余分な油や水分吸収させ、或いは油やドレッシングを予め吸収させ必要に応じて適量の油やドレッシングを放出させることが可能で、捨てる時も液だれすることなく処分できる衛生的な使い捨てクッキングボール及びクッキングバーを提供することを目的とする。【解決手段】油や水分を吸収する紙、綿または不織布からなるシートまたはフェルトを、圧縮成形した球形状からなることを特徴とするクッキングボール。【選択図】図１
0003160246.tif 000002
【実用新案登録請求の範囲】
【請求項１】
油や水分を吸収する紙、綿または不織布からなるシートまたはフェルトを、圧縮成形した球形状からなることを特徴とするクッキングボール。
【請求項２】
前記球形状のクッキングボールが、所定の直径からなることを特徴とする請求項１記載のクッキングボール。
【請求項３】
油や水分を吸収する紙、綿または不織布からなるシートまたはフェルトを、圧縮成形した棒形状からなることを特徴とするクッキングバー。
【考案の詳細な説明】
【技術分野】
【０００１】
本考案は、鍋やフライパンで調理する際、余分な油や水分を吸収させるための吸水性、耐熱性を備えた紙、綿または不織布からなるクッキングボール及びクッキングバーに関する。
【背景技術】
【０００２】
従来、台所や調理場において使用されるキッチンペーパ１０は、図４に示すようにミシン目１０ａの入ったシートを巻いたロール形状で、一枚ずつミシン目１０ａから切取って使用する。例えば、天ぷらの油切り、食器やまな板の水分を拭き取るふきん代わり、調理した後の鍋底に残った調理かすを拭き取り等、食器や調理器具を含む台所周辺を衛生的に保つ使い捨て商品として広く使用されている。
【０００３】
従来のキッチンペーパ１０は、その使用目的から吸水性と耐熱性、湿潤強度、柔軟性等を兼備えた汎用性の高いキッチンペーパが製品化されている（例えば、特許文献１を参照）。
【０００４】
また、不織布では加工が難しかったエンボス加工を施し、表面に多数の凹凸備えた不織布の製造法を確立して、不織布の持つ高い吸水性と耐熱性を備えたキッチンペーパが開示されている（例えば、特許文献２を参照）。
【先行技術文献】
【特許文献】
【０００５】
【特許文献１】特開２００１−１４６６６５号公報
【特許文献２】特開平１１−１８９９５９号公報
【考案の概要】
【考案が解決しようとする課題】
【０００６】
しかし、汎用性を重視した従来のキッチンペーパ１０とは異なり、鍋やフライパンで調理中の具材からでる余分な油や水分を吸い取り、或いは追加の油をひくことを目的として個別に形成された使い捨て商品のキッチンペーパは販売されていない。
【０００７】
従来のキッチンペーパ１０を丸めて代用することは可能であるが、調理中に余分な油や水分を吸着する場合、従来のキッチンペーパ１０を丸める作業が必要で手間が掛かるだけでなく、使用中に形が解けて使用後に処分するため箸などで摘み上げると液だれが生じて外観が綺麗ではない。
【０００８】
本考案のクッキングボール及びクッキングバーは、以上の課題に鑑みてなされたもので、吸水性と耐熱性、湿潤強度、柔軟性等を兼備えた従来のキッチンペーパ、フェルト及び綿を球形状または棒形状に予め圧縮成形し、そのまま鍋やフライパンに投入して鍋底を転がして具材からでる余分な油や水分を吸収させることを目的とする。
【０００９】
また、食用油やドレッシングを予め吸収させて、調理中に菜箸や調理へらで鍋底に押付けて適当な量の油やドレッシングを放出させることが可能で、捨てる場合でも液だれすることがなく簡単に処分することが可能なクッキングボール及びクッキングバーを提供することを目的とする。
【課題を解決するための手段】
【００１０】
本考案は上記の目的を達成するため、以下（１）〜（３）の構成を備えるものである。
【００１１】
（１）油や水分を吸収する紙、綿または不織布からなるシートまたはフェルトを、圧縮成形した球形状からなることを特徴とするクッキングボール。
【００１２】
（２）前記球形状のクッキングボールが、所定の直径からなることを特徴とする前記（１）記載のクッキングボール。
【００１３】
（３）油や水分を吸収する紙、綿または不織布からなるシートまたはフェルトを、圧縮成形した棒形状からなることを特徴とするクッキングバー。
【考案の効果】
【００１４】
本考案のクッキングボール及びクッキングバーによれば、吸水性と耐熱性、湿潤強度、柔軟性等を兼備えた従来のキッチンペーパ、フェルト、または綿を球形状または棒形状に圧縮成形することで、切取ったり丸めたりする手間が掛からず手軽に使用でき、鍋に投入して具材からでる余分な油や水分を吸収させることで、鍋の焦げ付き汚れを防止することができる。
【００１５】
また、予め油を吸収させておけば、必要に応じて適量の油を放出させることが可能で、鉄板料理の際、クッキングボールまたはクッキングバーを２〜３個鉄板上に転がして置くだけで、邪魔にならず手軽に必要な油を補充できる。また型崩れせず、液だれすることなく処分できるため、衛生的で使い捨て可能なクッキングボール及びクッキングバーを提供することができる。
【図面の簡単な説明】
【００１６】
【図１】本考案に係るクッキングボール及びクッキングバーの使用例を示す図、（ａ）クッキングボールの使用例を示す図、（ｂ）クッキングバーの使用例を示す図
【図２】本考案に係るクッキングボール及びクッキングバーの形状図
【図３】本考案に係るクッキングボール及びクッキングバーに油を予め吸収させた使用例を示す図、（ａ）調理へらで油を放出させる例を示す図、（ｂ）菜箸で挟んで油を放出させる例を示す図、（ｃ）食品にドレッシングを塗布する例を示す図
【図４】従来のキッチンペーパの外観図
【考案を実施するための形態】
【００１７】
以下、本考案を実施するための形態を、図面により詳しく説明する。
【実施例】
【００１８】
図１は、本考案に係るクッキングボール及びクッキングバーの使用例である。図中において、１はクッキングボールで、２は調理用のフライパンや中華鍋に代表される鍋、３は調理へら、４はコンロ、５はクッキングボール１の収納容器、６は調理用の菜箸、及び７はクッキングバーである。図１（ａ）、（ｂ）に示すように、使用法は調理中の鍋２に、クッキングボール１またはクッキングバー７を投入して、余分な油や水分を吸収させることで料理の出来栄えを良くする効果と、調理屑が鍋２に付着して焦げ付くことを防止し調理後の鍋２の清掃が簡単に行える効果が期待できる。
【００１９】
図２で本考案に係るクッキングボール１及びクッキングバー７の機能について説明する。図２（ａ）は球形状に圧縮成形したクッキングボール１、図２（ｂ）は棒形状に圧縮成形したクッキングバー７の外観図である。クッキングボール１及びクッキングバー７は、吸水性と耐熱性、湿潤強度、柔軟性等を兼備えた従来のキッチンペーパや、市販の脱脂綿やフェルトを予め適度な圧力で球形状や棒形状に圧縮成形し、従来のキッチンペーパ１０のように切取ったり丸めたりする手間が掛らず手軽に使用でき、且つ従来のキッチンペーパ１０や綿及びフェルトの持つ柔軟性を保持して型崩れすることがない。市販されているキッチンペーパ１枚でクッキングボール１を試作した所、直径が約２５ｍｍの大きさとなり、吸収できる水分量は約２０〜２５ｃｃであった。また市販の脱脂綿やフェルト材を使用すれば、形や大きさは自由に設定できる。
【００２０】
従ってクッキングボール１及びクッキングバー７の理想的な形状は、直径が約２５ｍｍ〜４０ｍｍの球形状、或いは直径が約２５ｍｍ〜４０ｍｍで長さも約５０ｍｍ程度の棒形状で、且つフェルトの弾力性を有し鍋２の中に２〜４個投入しても邪魔にならない大きさである。特に耐熱性が高く、吸水性や浸油性に優れた不織布を圧縮成形することで、柔軟性を保持しながら余分な油や水分を吸収し、調理中に形が崩れることがなく、外観も綺麗で使用後の処分も簡単に行えるクッキングボール１及びクッキングバー７を作成できる。
【００２１】
例えば、肉類や魚類の食材を鍋２で焼いている最中に、数個のクッキングボール１またはクッキングバー７を一緒に入れて転がし具材からでた余分な油や水分を吸収、或いは具材からでた調理屑を付着させて鍋２の焦げ付き汚れを防止し、生野菜をあえる際には、調理容器の中に数個投入して生野菜からでる余分な水分を吸収させて出来栄えを良くすることができる。
【００２２】
また、調理の際にコンロ４の脇にクッキングボール１またはクッキングバー７を入れた収納容器５を備えれば、必要なときに直ぐ使用できる利便性も確保できる。
【００２３】
尚、クッキングボール１及びクッキングバー７の大きさや、使用されるキッチンペーパ１０やフェルト材の種類について、本実施例で上述した直径や長さは用途に応じて変更可能であり、また市販されているキッチンペーパやフェルト材の種類も多種多様であり、本考案を制限するものではない。
【００２４】
図３は、油やドレッシングを予め吸収させたクッキングボール１及びクッキングバー７の使用例である。図３（ａ）に示す調理へら３の頭部３ａでクッキングボール１を鍋底に押付け、或いは図３（ｂ）に示す菜箸６などでクッキングバー７を挟みつけることで、予め吸収させた油を必要な分量だけ放出させて使用することができる。
【００２５】
たこ焼き器、ワッフル焼き器、鯛焼き器など金型の窪みに油をひく手段としても便利に活用でき、特に鉄板調理器を使用して調理する際は、油を吸収させたクッキングボール１またはクッキングバー７を２〜３個鉄板上に置いて、油が必要なときにクッキングボール１またはクッキングバー７を鉄板上で転がすことで油を補充できる利便性と手軽さを兼備えている。
【００２６】
更に図３（ｃ）に示すように、調味料で味を調えたドレッシングを吸収させたクッキングボール１を使って、照り焼きや焼きおにぎり等の食品の表面に、吸収させたドレッシングを必要量だけ塗布し調理することができる。刷毛を使ってドレッシングを塗布する場合に比べ、液だれすることがない。
【００２７】
以上、吸水性の高い吸水紙や不織布等のキッチンペーパやフェルトまたは綿を球形状または棒形状に圧縮成形したクッキングボール及びクッキングバーを、鍋に投入して余分な油や水分を吸収させることが可能であり、鍋の焦げ付きを防止することができる。また油やドレッシングを予め吸収させ、調理へらや菜箸で鍋底に押付け必要な量の油やドレッシングを放出させることも可能であり、捨てる場合には、菜箸などで摘んでも液だれすることがなく衛生的で簡単に処分することが可能な使い捨てクッキングボール及びクッキングバーを提供することができる。
【符号の説明】
【００２８】
１    クッキングボール
２    鍋
３    調理へら
４    コンロ
５    収納容器
６    菜箸
７    クッキングバー
１０  キッチンペーパ
【図１】
0003160246.tif 000003
【図２】
0003160246.tif 000004
【図３】
0003160246.tif 000005
【図４】
0003160246.tif 000006